(57)【要約】  本開示の一態様に係る無線基地局は、下り共有チャネルの繰り返し毎に下り制御情報を送信する送信部と、予め規定又は上位レイヤシグナリングにより設定される一以上の周波数帯域及び一以上の期間の少なくとも一部に対して前記下り制御情報を用いてスケジューリングされる、前記下り共有チャネルの送信を制御する制御部と、を具備することを特徴とする。
2020003525.tif 000002
【特許請求の範囲】
【請求項１】
下り共有チャネルの繰り返し毎に下り制御情報を送信する送信部と、
予め規定又は上位レイヤシグナリングにより設定される一以上の周波数帯域及び一以上の期間の少なくとも一部に対して前記下り制御情報を用いてスケジューリングされる、前記下り共有チャネルの送信を制御する制御部と、
を具備することを特徴とする無線基地局。
【請求項２】
前記制御部は、前記下り共有チャネルの繰り返し間で共通に、前記下り制御情報内の新規データ識別子のトグルを制御することを特徴とする請求項１に記載の無線基地局。
【請求項３】
前記制御部は、前記下り共有チャネルの繰り返し間で同一のＨＡＲＱ（Hybrid  Automatic  Repeat  reQuest）プロセス番号を、前記下り制御情報に含めることを特徴とする請求項１又は請求項２に記載の無線基地局。
【請求項４】
前記送信部は、前記ＨＡＲＱプロセス番号を示す情報を上位レイヤシグナリングによりユーザ端末に送信することを特徴とする請求項３に記載の無線基地局。
【請求項５】
前記制御部は、前記下り共有チャネルの繰り返し間で同一のカウンタＤＡＩ（Downlink  Assignment  Index）を、前記下り制御情報に含めることを特徴とする請求項１から請求項４のいずれかに記載の無線基地局。
【請求項６】
前記周波数帯域は、同一のセルグループ又は同一の上り制御チャネル用グループ内の一以上のキャリア又は一以上の帯域幅部分であることを特徴とする請求項１から請求項５のいずれかに記載の無線基地局。
【発明の詳細な説明】
【技術分野】
【０００１】
本開示は、次世代移動通信システムにおける無線基地局に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が仕様化された（非特許文献１）。また、ＬＴＥ（ＬＴＥ  Ｒｅｌ．８、９）の更なる大容量、高度化などを目的として、ＬＴＥ−Ａ（ＬＴＥアドバンスト、ＬＴＥ  Ｒｅｌ．１０、１１、１２、１３）が仕様化された。【０００３】
ＬＴＥの後継システム（例えば、ＦＲＡ（Future  Radio  Access）、５Ｇ（5th  generation  mobile  communication  system）、５Ｇ＋（plus）、ＮＲ（New  Radio）、ＮＸ（New  radio  access）、ＦＸ（Future  generation  radio  access）、ＬＴＥ  Ｒｅｌ．１４又は１５以降などともいう）も検討されている。【０００４】
既存のＬＴＥシステム（例えば、ＬＴＥ  Ｒｅｌ．８−１４）では、ユーザ端末（ＵＥ：User  Equipment）は、下り制御チャネル（例えば、ＰＤＣＣＨ：Physical  Downlink  Control  Channel）を介して伝送される下り制御情報（ＤＣＩ：Downlink  Control  Information、ＤＬアサインメント等ともいう）に基づいて、下り共有チャネル（例えば、ＰＤＳＣＨ：Physical  Downlink  Shared  Channel）の受信を制御する。また、ユーザ端末は、ＤＣＩ（ＵＬグラント等ともいう）に基づいて、上り共有チャネル（例えば、ＰＵＳＣＨ：Physical  Uplink  Shared  Channel）の送信を制御する。
【先行技術文献】
【非特許文献】
【０００５】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００６】
将来の無線通信システム（例えば、ＮＲ、５Ｇ、５Ｇ＋又はＲｅｌ．１５以降）では、所定のチャネル（例えば、ＰＤＳＣＨ、ＰＵＳＣＨ等）及び信号の少なくとも一つ（チャネル／信号）を繰り返して（repetition）送信することが検討されている。繰り返し送信は、例えば、ＵＲＬＬＣ（Ultra  Reliable  and  Low  Latency  Communications）等、超高信頼及び低遅延のサービスに有用であると考えられる。【０００７】
例えば、Ｒｅｌ．１５  ＮＲでは、所定数の連続するスロット間で同一に割り当てられる時間領域リソース、周波数領域リソース、変調及び符号化方式（ＭＣＳ：Modulation  and  Coding  Scheme）インデックス、ＤＭＲＳ構成等の少なくとも一つを用いて、チャネル／信号の繰り返し送信を行うことが検討されている。【０００８】
しかしながら、Ｒｅｌ．１５  ＮＲで検討されているように、フレキシブルでない（inflexible）繰り返し送信を行っても、チャネル／信号（例えば、ＰＤＳＣＨ）の繰り返し送信によるゲインを十分に得ることができない恐れがある。【０００９】
そこで、本開示は、チャネル／信号（例えば、ＰＤＳＣＨ）の繰り返し送信によるゲインを効果的に得ることが可能な無線基地局を提供することを目的の１つとする。
【課題を解決するための手段】
【００１０】
本開示の一態様に係る無線基地局は、下り共有チャネルの繰り返し毎に下り制御情報を送信する送信部と、予め規定又は上位レイヤシグナリングにより設定される一以上の周波数帯域及び一以上の期間の少なくとも一部に対して前記下り制御情報を用いてスケジューリングされる、前記下り共有チャネルの送信を制御する制御部と、を具備することを特徴とする。
【発明の効果】
【００１１】
本開示の一態様によれば、チャネル／信号（例えば、ＰＤＳＣＨ）の繰り返し送信によるゲインを効果的に得ることができる。
【図面の簡単な説明】
【００１２】
【図１】図１は、ＰＤＳＣＨの繰り返し送信の一例を示す図である。
【図２】図２Ａ及び２Ｂは、複数のＴＲＰを用いたチャネル／信号の繰り返し送信の一例を示す図である。
【図３】図３は、第１の態様に係るＰＤＳＣＨの繰り返し送信の一例を示す図である。
【図４】図４は、第１の態様に係るＰＤＳＣＨの繰り返し送信の他の例を示す図である。
【図５】図５Ａ及び５Ｂは、第１の態様に係るＰＤＳＣＨの繰り返し送信用の周波数帯域の設定の一例を示す図である。
【図６】図６Ａ及び６Ｂは、第１の態様に係るＰＤＳＣＨの繰り返し送信用の期間の設定の一例を示す図である。
【図７】図７Ａ及び７Ｂは、第２の態様に係るＨＰＮに基づくソフトコンバイニングの一例を示す図である。
【図８】図８Ａ及び８Ｂは、第２の態様に係るカウンタＤＡＩに基づくソフトコンバイニングの一例を示す図である。
【図９】図９Ａ及び９Ｂは、その他の態様に係るクロスＣＣ／ＢＷＰのスケジューリングの一例を示す図である。
【図１０】図１０は、本実施の形態に係る無線通信システムの概略構成の一例を示す図である。
【図１１】図１１は、本実施の形態に係る無線基地局の全体構成の一例を示す図である。
【図１２】図１２は、本実施の形態に係る無線基地局の機能構成の一例を示す図である。
【図１３】図１３は、本実施の形態に係るユーザ端末の全体構成の一例を示す図である。
【図１４】図１４は、本実施の形態に係るユーザ端末の機能構成の一例を示す図である。
【図１５】図１５は、本実施の形態に係る無線基地局及びユーザ端末のハードウェア構成の一例を示す図である。
【発明を実施するための形態】
【００１３】
将来の無線通信システム（例えば、ＮＲ、５Ｇ、５Ｇ＋又はＲｅｌ．１５以降）では、チャネル及び信号の少なくとも一つ（チャネル／信号）を繰り返して（repetition）送信することが検討されている。当該チャネル／信号は、例えば、ＰＤＳＣＨ、ＰＤＣＣＨ、ＰＵＳＣＨ、ＰＵＣＣＨ、ＤＬ−ＲＳ、上り参照信号（ＵＬ−ＲＳ）等であるが、これに限られない。
【００１４】
図１は、ＰＤＳＣＨの繰り返し送信の一例を示す図である。図１では、単一のＤＣＩにより所定数の繰り返しのＰＤＳＣＨがスケジューリングされる一例が示される。当該繰り返しの回数は、繰り返し係数（repetition  factor）Ｋ又はアグリゲーション係数（aggregation  factor）Ｋとも呼ばれる。例えば、図１では、繰り返し係数Ｋ＝４であるが、Ｋの値はこれに限られない。また、ｎ回目の繰り返しは、ｎ回目の送信機会（transmission  occasion）等とも呼ばれ、繰り返しインデックスｋ（０≦ｋ≦Ｋ−１）によって識別されてもよい。
【００１５】
例えば、図１では、ユーザ端末は、繰り返し係数Ｋを示す情報を上位レイヤレイヤシグナリングにより受信する。ここで、上位レイヤシグナリングは、例えば、ＲＲＣ（Radio  Resource  Control）シグナリング、ＭＡＣ（Medium  Access  Control）シグナリング、ブロードキャスト情報などのいずれか、又はこれらの組み合わせであってもよい。
【００１６】
ＭＡＣシグナリングは、例えば、ＭＡＣ制御要素（ＭＡＣ  ＣＥ（Control  Element））、ＭＡＣ  ＰＤＵ（Protocol  Data  Unit）などを用いてもよい。ブロードキャスト情報は、例えば、マスタ情報ブロック（ＭＩＢ：Master  Information  Block）、システム情報ブロック（ＳＩＢ：System  Information  Block）、最低限のシステム情報（ＲＭＳＩ：Remaining  Minimum  System  Information）などであってもよい。
【００１７】
図１に示すように、ユーザ端末は、あるサービングセル又は当該あるサービングセル内の部分的な帯域（帯域幅部分（ＢＷＰ：Bandwidth  Part））において繰り返し送信されるＰＤＳＣＨをスケジューリングする当該ＤＣＩを検出する。ＢＷＰは、上り（ＵＬ：Uplink）用のＢＷＰ（ＵＬ  ＢＷＰ、上りＢＷＰ）及び下り（ＤＬ：Downlink）用のＢＷＰ（ＤＬ  ＢＷＰ、下りＢＷＰ）を有してもよい。すなわち、ユーザ端末は、あるサービングセル又は当該あるサービングセル内で、上り（ＵＬ：Uplink）用のＢＷＰ（ＵＬ  ＢＷＰ、上りＢＷＰ）及び下り（ＤＬ：Downlink）用のＢＷＰ（ＤＬ  ＢＷＰ、下りＢＷＰ）を用いて通信を行う。
【００１８】
ユーザ端末は、ＤＬ  ＢＷＰ内に設定されるＣＯＲＥＳＥＴ（当該ＣＯＲＥＳＥＴに関連付けられる一以上のサーチスペースのセット（ＳＳセット）又は当該ＳＳセットを構成するＰＤＣＣＨ候補）を監視（monitor）して、当該ＤＣＩを検出してもよい。ユーザ端末は、当該ＤＣＩを検出したスロットから所定期間後のＫ個の連続するスロットで当該ＰＤＳＣＨを受信する。なお、サービングセルは、キャリア、コンポーネントキャリア（ＣＣ：Component  Carrier）又はセル等とも呼ばれる。
【００１９】
具体的には、ユーザ端末は、上記ＤＣＩ内の以下の少なくとも一つのフィールド値（又は当該フィールド値が示す情報）に基づいて、Ｋ個の連続するスロットにおけるＰＤＳＣＨの受信処理（例えば、受信、デマッピング、復調、復号の少なくとも一つ）を制御する：
・時間領域リソース（例えば、開始シンボル、各スロット内のシンボル数等）の割り当て、
・周波数領域リソース（例えば、所定数のリソースブロック（ＲＢ：Resource  Block）、所定数のリソースブロックグループ（ＲＢＧ：Resource  Block  Group））の割り当て、
・変調及び符号化方式（ＭＣＳ：Modulation  and  Coding  Scheme）インデックス、
・ＰＤＳＣＨの復調用参照信号（ＤＭＲＳ：Demodulation  Reference  Signal）の構成（configuration）、
・送信構成指示（ＴＣＩ：Transmission  Configuration  Indication又はTransmission  Configuration  Indicator）の状態（ＴＣＩ状態（TCI-state））。
【００２０】
ユーザ端末は、上位レイヤシグナリングにより準静的（semi-static）に設定されるＫ（図１ではＫ＝４）個の連続するスロット間でＰＤＳＣＨに割り当てられる時間領域リソース、同じ周波数領域リソース、ＭＣＳインデックス、ＤＭＲＳの構成が同じと想定して、各スロットにおけるＰＤＳＣＨの受信を制御する。すなわち、ユーザ端末は、単一のＤＣＩ内の上記フィールド値が、Ｋ個の連続するスロット全てに適用されると想定する。
【００２１】
一方、ユーザ端末は、当該Ｋ個の連続するスロット間で、ＰＤＳＣＨに適用される冗長バージョン（ＲＶ：Redundancy  Version）が所定の順序（例えば、０→２→３→１）で変更されると想定して、各スロットにおけるＰＤＳＣＨの受信を制御する。
【００２２】
また、上記将来の無線通信システムでは、ロバスト性（robustness）を向上（improve）させるため、複数の送受信ポイント（ＴＲＰ：Transmission  and  Reception  Point）を用いてチャネル／信号の繰り返し送信を行うことも検討されている。
【００２３】
図２Ａ及び２Ｂは、複数のＴＲＰを用いたチャネル／信号の繰り返し送信の一例を示す図である。例えば、図２Ａ及び２Ｂでは、ＴＲＰ＃１〜＃４を用いたＰＤＳＣＨの繰り返し送信の一例が示される。なお、図２Ａでは、ＴＲＰ＃１〜＃４の地理的な位置（ＴＣＩ状態）が異なる一例が示されるが、これに限られない。ＴＲＰ＃１〜＃４は、同じ送信場所に設置される異なるアンテナパネルであってもよい。また、繰り返し送信に用いられるＴＲＰの数も図示するものに限られない。
【００２４】
図２Ｂに示すように、同一のＰＤＳＣＨ（又は下りデータ）が複数のＴＲＰにコピーされ、繰り返しとしてＰＤＳＣＨが送信されてもよい。ここで、「下りデータのコピー」とは、下りデータを構成する情報ビット系列、コードブロック（ＣＢ）、一以上のコードブロックを含むコードブロックグループ（ＣＢＧ）、トランスポートブロック（ＴＢ）、符号化後の符号語系列の少なくとも一つを複製することであってもよい。
【００２５】
或いは、「下りデータのコピー」とは、必ずしも同じビット列全ての複製を表すものではなく、同じ情報ビット列から生成される符号語の少なくとも一部、もしくは変調シンボル系列の少なくとも一部を複製することであってもよい。例えば、コピーされた複数の下りデータ間では、ある情報ビット系列を符号化して得られる符号語のＲＶは、同一であってもよいし、異なっていてもよい。または、コピーされた複数の下りデータは、前記異なるＲＶまたは同じＲＶを変調して得られる変調シンボル系列であってもよい。また、コピーされた複数の下りデータは、いずれもＰＤＳＣＨとして送信される。当該ＰＤＳＣＨは、時間領域及び周波数領域の少なくとも一つが異なるリソースで繰り返されてもよい。
【００２６】
例えば、図２Ｂに示すように、ＰＤＳＣＨは、周波数領域が同一で時間領域で連続するリソース（例えば、一以上のスロット）で繰り返されてもよい。あるいは、時間領域が同一で周波数領域で連続するリソース（例えば、一以上のＲＢ又は一以上のＲＢＧ）で繰り返しされてもよい。各繰り返しは、異なるＴＲＰに送信されてもよい。
【００２７】
また、図２Ｂでは、１繰り返し毎に異なるＴＲＰにＰＤＳＣＨを送信する場合を示しているが、これに限られず、所定数の繰り返し（１以上の繰り返し）毎に異なるＴＲＰにＰＤＳＣＨを送信してもよい。
【００２８】
なお、「ＴＲＰ」は、ネットワーク、無線基地局、アンテナ装置、アンテナパネル、サービングセル、セル、コンポーネントキャリア（ＣＣ）又はキャリア等と、言い換えられてもよい。また、異なる送受信信号またはチャネルについて、「ＴＲＰが同一である」とは、前記異なる送受信信号またはチャネルの間、あるいはそれらの参照信号間で、ＴＣＩ状態、ＱＣＬ又はＱＣＬ関係が同一であると言い換えられてもよい。また、異なる送受信信号またはチャネルについて、「ＴＲＰが異なる」とは、前記異なる送受信信号またはチャネルの間、あるいはそれらの参照信号間で、ＴＣＩ状態、ＱＣＬ又はＱＣＬ関係が異なると言い換えられてもよい。
【００２９】
図２Ａ、２Ｂにおいて、「異なるＴＲＰから複数のチャネル／信号を送信する」とは、当該複数のチャネル／信号間で、送信構成指示（ＴＣＩ：Transmission  Configuration  Indication又はTransmission  Configuration  Indicator）の状態（ＴＣＩ状態（TCI-state））が異なることと同義である。ユーザ端末は、ＴＣＩ状態が異なる複数のチャネル／信号を受信する場合、当該複数のチャネル／信号が異なるＴＲＰから送信されると想定してもよい。したがって、「所定数の繰り返し毎に異なる送受信ポイントから送信されるチャネル／信号を受信する」とは、所定数の繰り返し毎にＴＣＩ状態が異なるチャネル／信号を受信することと同義である。
【００３０】
ＴＣＩ状態とは、所定のチャネル／信号の疑似コロケーション（ＱＣＬ：Quasi-Co-Location）に関する情報（ＱＣＬ情報）を示してもよい（含んでもよい）。ＱＣＬとは、チャネル／信号の統計的性質を示す指標である。例えば、ある信号と他の信号がＱＣＬの関係である場合、これらの異なる複数の信号間において、ドップラーシフト（doppler  shift）、ドップラースプレッド（doppler  spread）、平均遅延（average  delay）、遅延スプレッド（delay  spread）、空間パラメータ（Spatial  parameter）（例えば、空間受信パラメータ（Spatial  Rx  Parameter））の少なくとも１つが同一である（これらの少なくとも１つに関してＱＣＬである）と仮定できることを意味してもよい。
【００３１】
ＴＣＩ状態は、所定の識別子（ＴＣＩ状態ＩＤ（TCI-StateId））によって識別される。各ＴＣＩ状態は、例えば、対象となるチャネル／信号（又は当該チャネル用のＤＭＲＳ、当該ＤＭＲＳのアンテナポート又は当該アンテナポートのグループ）とＱＣＬの関係にある他の下り参照信号（ＤＬ−ＲＳ：Downlink  Reference  Signal）に関する情報（例えば、一以上のＤＬ−ＲＳ、当該ＤＬ−ＲＳ用リソース等）、当該ＱＣＬのタイプ、当該ＤＬ−ＲＳが配置されるキャリア（セル）及びＢＷＰに関する情報の少なくとも１つを含んでもよい。
【００３２】
当該ＤＬ−ＲＳは、例えば、同期信号（ＳＳ：Synchronaization  Signal）、ブロードキャストチャネル（ＰＢＣＨ：Physical  Broadcast  Channel）、同期信号ブロック（ＳＳＢ：Synchronization  Signal  Block）、モビリティ参照信号（ＭＲＳ：Mobility  RS）、チャネル状態情報参照信号（ＣＳＩ−ＲＳ：Channel  Satate  Information-Reference  Signal）、トラッキング用のＣＳＩ−ＲＳ、ビーム固有の信号などの少なくとも１つ、又はこれらを拡張、変更などして構成される信号（例えば、密度及び周期の少なくとも一方を変更して構成される信号）であってもよい。
【００３３】
同期信号は、例えば、プライマリ同期信号（ＰＳＳ：Primary  Synchronaization  Signal）及びセカンダリ同期信号（ＳＳＳ：Secondary  Synchronaization  Signal）の少なくとも１つであってもよい。ＳＳＢは、同期信号及びブロードキャストチャネルを含む信号ブロックであり、ＳＳ／ＰＢＣＨブロックなどと呼ばれてもよい。
【００３４】
例えば、ＰＤＣＣＨ用のＴＣＩ状態は、ＰＤＣＣＨのＤＭＲＳ（当該ＤＭＲＳのアンテナポート（ＤＭＲＳポート）又は当該ＤＭＲＳポートのグループ（ＤＭＲＳポートグループ））とＱＣＬ関係にあるＤＬ−ＲＳに関する情報等を含んでもよい。
【００３５】
ユーザ端末に設定される制御リソースセット（ＣＯＲＥＳＥＴ：Control  Resource  Set）毎に一以上のＴＣＩ状態が設定（configure）されてもよい。ユーザ端末は、ＣＯＲＥＳＥＴに関連付けられるＴＣＩ状態に基づいて、ＰＤＣＣＨの受信処理を制御してもよい。
【００３６】
また、ＰＤＳＣＨ用のＴＣＩ状態は、ＰＤＳＣＨのＤＭＲＳ（ＤＭＲＳポート又はＤＭＲＳポートグループ）とＱＣＬ関係にあるＤＬ−ＲＳに関する情報等を含んでもよい。
【００３７】
ユーザ端末には、ＰＤＳＣＨ用のＭ（Ｍ≧１）個のＴＣＩ状態が設定され、単一のＴＣＩ状態がＤＣＩ内の所定のフィールド（例えば、ＴＣＩ用のフィールド、ＴＣＩフィールド、ＴＣＩ状態フィールドなどと呼ばれてもよい）によって指定されてもよい。
【００３８】
しかしながら、図１に示すように、Ｋ個の連続するスロット間で同一に割り当てられる時間領域リソース、周波数領域リソース、ＭＣＳインデックス、ＤＭＲＳ構成等を用いてＰＤＳＣＨの繰り返し送信が行われる場合、図２Ａ及び２Ｂに示すように、複数のＴＣＩ状態（ＴＲＰ）を用いた繰り返し送信によるゲインを十分に得ることができない恐れがある。同様の問題は、同一のＴＣＩ状態（ＴＲＰ）を用いた繰り返し送信の場合にも生じ得る。
【００３９】
そこで、本発明者らは、ＰＤＳＣＨの繰り返し送信をよりフレキシブルに制御することにより、同一又は異なるＴＣＩ状態（ＴＲＰ）を用いた繰り返し送信によるゲインを効率的に得られる点に着目し、本発明に至った。
【００４０】
以下、本実施の形態について、図面を参照して詳細に説明する。以下において、繰り返し係数ＫのＰＤＳＣＨの繰り返し送信は、同一のＴＣＩ状態（ＴＲＰ）を用いて行われてもよいし、所定数の繰り返し（例えば、１繰り返し）毎に異なるＴＣＩ状態（ＴＲＰ）を用いて行われてもよい。
【００４１】
（第１の態様）
第１の態様では、ＰＤＳＣＨの繰り返し送信のフレキシブルな制御について説明する。
【００４２】
当該ＰＤＳＣＨは、連続する周波数領域リソース及び非連続の周波数帯域の少なくとも一つに渡って繰り返されてもよい。ここで、周波数帯域は、例えば、一以上のＢＷＰ及び一以上のＣＣの少なくとも一つであってもよい。
【００４３】
また、当該ＰＤＳＣＨは、連続する時間領域ユニット及び非連続の時間領域ユニットの少なくとも一つに渡って繰り返されてもよい。ここで、時間領域ユニットは、例えば、一以上のスロットであってもよい。
【００４４】
ＰＤＳＣＨの少なくとも２つの繰り返し間では、以下の少なくとも一つが同一に維持されてもよい：
・トランスポートブロックサイズ（ＴＢＳ：Transport  Block  Size）、
・ＨＡＲＱプロセス番号（ＨＰＮ：Hybrid  Automatic  Repeat  reQuest  Process  Number）。
【００４５】
一方、ＰＤＳＣＨの少なくとも２つの繰り返し間では、以下の少なくとも一つが異なってもよい：
・ＰＤＳＣＨに割り当てられる時間領域リソース（例えば、スロット内におけるＰＤＳＣＨの開始シンボル、スロット内でＰＤＳＣＨに割り当てられるシンボル数等）、
・ＰＤＳＣＨに割り当てられる周波数領域リソース（例えば、ＰＤＳＣＨに割り当てられる所定数のＲＢ又はＲＢＧ）、
・ＰＤＳＣＨのＭＣＳインデックス、
・ＭＩＭＯ（Multi  Input  Multi  Output）の構成（トランスポートブロック（ＴＢ：Transport  Block）の数、レイヤ数等ともいう）、
・ＰＤＳＣＨに適用されるＲＶ、
・１ＴＢ内のコードブロックグループ（ＣＢＧ：Code  Block  Group）の数、
・ＰＤＳＣＨに対する送達確認情報（ＨＡＲＱ−ＡＣＫ：Hybrid  Automatic  Repeat  reQuest−Acknowledge、ＡＣＫ又はＮＡＣＫ、Ａ／Ｎ等ともいう）の送信に用いられるＰＵＣＣＨリソース、
・ＨＡＲＱ−ＡＣＫの送信に用いられるＰＵＣＣＨ用のＴＰＣコマンド、
・ＨＡＲＱ−ＡＣＫのフィードバックタイミング、
・ＴＣＩ状態、
・ＰＤＳＣＨのＤＭＲＳ系列。
【００４６】
ＰＤＳＣＨの少なくとも２つの繰り返しは、異なるＤＣＩによってスケジューリングされてもよい。例えば、繰り返し係数ＫのＰＤＳＣＨのそれぞれの繰り返しが、異なるＤＣＩによってスケジューリングされてもよいし、一部の繰り返しが異なるＤＣＩによってスケジューリングされてもよい。また、一つの繰り返しをスケジューリングするＤＣＩは、単一のＤＣＩであってもよいし、複数のＤＣＩ（例えば、２ステップＤＣＩ）であってもよい。
【００４７】
図３は、第１の態様に係るＰＤＳＣＨの繰り返し送信の一例を示す図である。図３では、Ｋ個のＤＣＩによりＰＤＳＣＨの時間領域におけるＫ個の繰り返しがそれぞれスケジューリングされる一例が示される。なお、図３では、Ｋ＝４であるが、Ｋの値はこれに限られない。また、繰り返し係数Ｋは、上位レイヤシグナリングによりユーザ端末に設定（configure）されてもよいし、設定されなくともよい。
【００４８】
また、図３では、Ｋ個の連続するスロットでＰＤＳＣＨの繰り返し送信が行われるが、Ｋ個のスロットの少なくとも一つは連続しなくともよい。また、図３では、同一の周波数帯域（例えば、ＣＣ又はＢＷＰ）でＰＤＳＣＨの繰り返し送信が行われるが、Ｋ個の周波数帯域の少なくとも一つは異なってもよい。また、各繰り返しは、異なるＴＲＰから送信されてもよい（異なるＴＣＩ状態であってもよい）。
【００４９】
図３において、ユーザ端末は、各スロットにおいて設定されるＰＤＣＣＨ候補（一以上のサーチスペース（ＳＳ）を含むＳＳセット等ともいう）を監視（ブラインド復号）する。例えば、図３では、ユーザ端末は、Ｋ個のスロット（ここでは、＃１〜＃４）においてＫ個のＤＣＩ（ここでは、４個のＤＣＩ）を検出し、当該Ｋ個のＤＣＩによりそれぞれスケジューリングされる繰り返しインデックスｋ＝０〜Ｋ−１（ここでは、ｋ＝０〜３）のＰＤＳＣＨの受信を制御する。
【００５０】
図３に示すように、少なくとも２つの繰り返し間では、ＰＤＳＣＨに割り当てられる周波数領域リソース（例えば、ＲＢ数）、時間領域リソース（例えば、シンボル数）等が異なってもよい。なお、図３では、繰り返し間でＰＤＳＣＨの開始シンボルの位置が同一であるが、開始シンボルの位置等が異なってもよい。
【００５１】
図４は、第１の態様に係るＰＤＳＣＨの繰り返し送信の他の例を示す図である。図４では、時間領域ではなく、周波数領域でＫ回の繰り返しが行われる点で、図３と異なる。以下では、図３との相違点を中心に説明する。
【００５２】
図４に示すように、Ｋ個のＤＣＩにより、それぞれ異なるＫ個の周波数帯域（例えば、ＣＣ又はＢＷＰ）におけるＰＤＳＣＨの繰り返し送信がスケジューリングされてもよい。例えば、図４では、Ｋ＝２であり、２ＣＣ又は２ＢＷＰにおいて繰り返しインデックスｋ＝０、１のＰＤＳＣＨが送信される。なお、各繰り返しは、異なるＴＲＰから送信されてもよい（異なるＴＣＩ状態であってもよい）。
【００５３】
例えば、図４では、ユーザ端末は、あるスロット（ここでは、スロット＃２）においてＫ個のＤＣＩ（ここでは、２個のＤＣＩ）を検出し、当該Ｋ個のＤＣＩによりそれぞれスケジューリングされる繰り返しインデックスｋ＝０〜Ｋ−１（ここでは、ｋ＝０〜１）のＰＤＳＣＨの受信を制御する。
【００５４】
＜繰り返し送信用に設定される周波数帯域＞
第１の態様において、ユーザ端末には、ＰＤＳＣＨ（ＴＢ）の繰り返し送信用に一以上の周波数帯域（例えば、一以上のＣＣ又はＢＷＰ（ＣＣ／ＢＷＰ）のセット（ＣＣ／ＢＷＰセット））が上位レイヤシグナリングにより設定（configure）されてもよい。ＰＤＳＣＨ（ＴＢ）が実際に繰り返される一以上の周波数帯域は、当該ユーザ端末に設定される周波数帯域の少なくとも一部（サブセット）であってもよい。
【００５５】
ユーザ端末は、設定された周波数帯域外（例えば、ＣＣ／ＢＷＰセット外）の繰り返しの受信を予期（expect）しなくともよい。無線基地局は、特定のユーザ端末に対してＰＤＳＣＨの繰り返し送信を行う場合、予め規定、又は、上位レイヤシグナリングにより設定（configure）設定された周波数帯域（例えば、ＣＣ／ＢＷＰセット）内でのＰＤＳＣＨ繰り返し送信を行うよう制御する。
【００５６】
ユーザ端末は、ＰＤＳＣＨの繰り返し送信用に設定される一以上の周波数帯域は、セルグループ又はＰＵＣＣＨグループを跨がない（not  accross）と想定してもよい。この場合、ＰＤＣＰ（Packet  Data  Convergence  Protocol）レイヤにおける下りデータが、ＲＬＣ（Radio  Link  Control）レイヤ又はＭＡＣレイヤで複数の下りデータに複製（duplication又はcopy）されてもよい。この場合、当該複数の下りデータは、同一のＭＡＣ  ＰＤＵ又はＴＢとしてスケジューリングされ、ソフトコンバイニングが行われてもよい。
【００５７】
ここで、セルグループ（ＣＧ：Cell  Group）は、プライマリセル（ＰＣｅｌｌ：Primary  Cell）又はプライマリセカンダリセル（ＰＳＣｅｌｌ：Primary  Secondary Cell）を含み、セカンダリセル（ＳＣｅｌｌ：Secondary  Cell）を含んでもよい。セルグループは、ＭＡＣエンティティ毎に設けられてもよい。ＰＵＣＣＨグループは、一以上のセルを含み、ＰＵＣＣＨを送信する１セル（例えば、ＰＣｅｌｌ又はＰＳＣｅｌｌ）を含む。
【００５８】
なお、ＣＧ又はＰＵＣＣＨグループを跨るＰＤＳＣＨの繰り返しは、ＰＤＣＰレイヤにおいて複数の下りデータへの複製（duplication又はcopy）を行う場合に有効化（enable）されてもよい。この場合、当該複数の下りデータは、異なるＭＡＣ  ＰＤＵ又はＴＢとして、別々にスケジューリングされてもよい。すなわち、当該複数の下りデータのソフトコンバイニングは行われなくともよい。
【００５９】
図５Ａ及び５Ｂは、第１の態様に係るＰＤＳＣＨの繰り返し送信用の周波数帯域の一例を示す図である。図５Ａでは、ＣＣ／ＢＷＰ＃０〜＃３を含むＣＧ又はＰＵＣＣＨグループが示される。図５Ｂでは、ＣＣ／ＢＷＰ＃０〜＃５を含むＣＧ又はＰＵＣＣＨグループが示される。
【００６０】
図５Ａでは、ＣＣ／ＢＷＰ＃０〜＃２を含むＣＣ／ＢＷＰセット＃１と、ＣＣ／ＢＷＰ＃２及び＃３を含むＣＣ／ＢＷＰセット＃２とが示される。同様に、図５Ｂでは、ＣＣ／ＢＷＰ＃０〜＃１を含むＣＣ／ＢＷＰセット＃１と、ＣＣ／ＢＷＰ＃２〜＃３を含むＣＣ／ＢＷＰセット＃２と、ＣＣ／ＢＷＰ＃３〜＃５を含むＣＣ／ＢＷＰセット＃３とが示される。
【００６１】
図５Ａ及び５Ｂに示すように、少なくとも一つのＣＣは、複数のＣＣ／ＢＷＰセット間に重複して含まれてもよい。例えば、図５Ａでは、ＣＣ＃２は、ＣＣ／ＢＷＰセット＃１及び＃２の双方に含まれる。また、図５Ｂでは、ＣＣ＃３は、ＣＣ／ＢＷＰセット＃２及びＣＣ／ＢＷＰセット＃３の双方に含まれる。
【００６２】
ＣＣ／ＢＷＰセットを設定されるユーザ端末は、当該ＣＣ／ＢＷＰセット内のＣＣ／ＢＷＰ内のＣＯＲＥＳＥＴ（ＳＳセット）を監視する。ユーザ端末は、当該監視により検出される各ＤＣＩに基づいて、当該ＣＣ／ＢＷＰセット内の少なくとも一部にスケジューリングされるＰＤＳＣＨの各繰り返しの受信を制御してもよい。
【００６３】
なお、ＰＤＳＣＨの各繰り返しがスケジューリングされるＣＣ／ＢＷＰは、設定されたＣＣ／ＢＷＰの中でアクティブ化されているＣＣ／ＢＷＰであってもよい。
【００６４】
＜繰り返し送信用に設定される期間＞
また、第１の態様において、ユーザ端末は、ＰＤＳＣＨ（ＴＢ）の繰り返し送信用の期間（duration）（例えば、一以上のスロット）が予め規定されてもよいし、又は、上位レイヤシグナリングにより設定（configure）されてもよい。当該期間は、例えば、ＰＤＳＣＨの最初の繰り返しから最後の繰り返しまでの期間であってもよいし、当該ＰＤＳＣＨをスケジューリングするＰＤＣＣＨから最後の繰り返しまでの期間であってもよい。あるいは、当該期間は、繰り返しをスケジューリングするＰＤＣＣＨの受信、またはＰＤＳＣＨの最初の繰り返しから、所定の期間（例えば、特定のサブキャリア間隔（ＳＣＳ：Subcarrier  Spacing）における一以上のスロット数に相当する時間区間や、１ミリ秒（ｍｓ）又は複数ミリ秒（multiple  ms））であってもよい。
【００６５】
ユーザ端末は、設定された期間外（例えば、当該期間の後）の繰り返しの受信を予期（expect）しなくともよい。無線基地局は、特定のユーザ端末に対してＰＤＳＣＨの繰り返し送信を行う場合、予め規定、又は、上位レイヤシグナリングにより設定（configure）設定された期間内でのＰＤＳＣＨ繰り返し送信を行うよう制御する。
【００６６】
レイヤ２のタイマは、当該期間に基づいて規定されてもよい。当該タイマは、例えば、ＨＡＲＱのラウンドトリップタイム（ＲＴＴ：Round  Trip  Time）用のタイマ（ＨＡＲＱ  ＲＴＴタイマ）又は設定グラント（Configured  Grant）用のタイマ（設定グラントタイマ）等のＭＡＣタイマであってもよい。
【００６７】
例えば、ＨＡＲＱ  ＲＴＴタイマが満了（expire）すると再送がスケジューリングされ得るため、当該期間に基づいてＨＡＲＱ  ＲＴＴタイマの時間（起動から満了までの時間）が決定されてもよい。また、設定グラントタイマが満了するとＰＤＳＣＨのＡＣＫが想定されるため、当該期間に基づいて設定グラントタイマの時間（起動から満了までの時間）が決定されてもよい。ユーザ端末は、各タイマの時間を示す情報を受信してもよい。
【００６８】
あるいは、前記の各タイマが当該期間を規定するものであってもよい。例えば、ＨＡＲＱ  ＲＴＴタイマが満了（expire）するまでの区間を当該期間とし、ユーザ端末は、その当該期間内でのみＰＤＳＣＨ繰り返し送信が行われると想定してもよい。又は、例えば、設定グラントタイマが満了（expire）するまでの区間を当該期間とし、ユーザ端末は、その当該期間内でのみ繰り返し送信を行うものとしてもよい。
【００６９】
図６Ａ及び６Ｂは、第１の態様に係るＰＤＳＣＨの繰り返し送信用の周波数帯域の一例を示す図である。図６Ａ及び６Ｂでは、図５Ａと同様に、ＣＣ／ＢＷＰセット＃１及び＃２が設定される場合を一例として説明する。
【００７０】
図６Ａ及び６Ｂでは、ＰＤＳＣＨの繰り返し送信用の周波数帯域（例えば、ＣＣ／ＢＷＰセット）に加えて、ＰＤＳＣＨの繰り返し送信用の期間（例えば、一以上のスロット）が設定される点で、図５Ａと異なる。以下では、図５Ａとの相違点を中心に説明する。
【００７１】
図６Ａに示すように、ＣＣ／ＢＷＰセット＃１が設定されるユーザ端末＃１には、ＰＤＳＣＨの繰り返し送信用にスロット＃２を含む期間１が設定されてもよい。当該ユーザ端末＃１に対するＰＤＳＣＨの各繰り返しは、当該期間１の少なくとも一部にスケジューリングされてもよい。
【００７２】
一方、ＣＣ／ＢＷＰセット＃２が設定されるユーザ端末＃２には、ＰＤＳＣＨの繰り返し送信用にスロット＃４を含む期間２が設定されてもよい。当該ユーザ端末＃２に対するＰＤＳＣＨの各繰り返しは、当該期間２内で、かつ、ＣＣ／ＢＷＰセット＃２の少なくとも一部（ここでは、ＣＣ／ＢＷＰ＃２及び＃３）にスケジューリングされてもよい。
【００７３】
なお、図６Ａでは、異なるＣＣ／ＢＷＰセットが設定されるユーザ端末＃１及び＃２にそれぞれ異なる期間が設定されるが、図６Ｂに示すように、少なくとも一部が重複する期間が設定されてもよい。例えば、図６Ｂでは、ＣＣ／ＢＷＰ＃１が設定されるユーザ端末＃１に対して、スロット＃２〜＃５を含む期間１が設定される。ＣＣ／ＢＷＰ＃２が設定されるユーザ端末＃２に対して、スロット＃４〜＃７を含む期間２が設定される。
【００７４】
図６Ｂにおいて、ユーザ端末＃１及び＃２に対するＰＤＳＣＨの繰り返しは、それぞれに設定された期間１及び２内の少なくとも一部にスケジューリングされる。図６Ｂに示すように、ユーザ端末＃１及び＃２に対するＰＤＳＣＨの繰り返しは、同一のスロット（ここでは、スロット＃４ｓ）内の異なるＣＣ／ＢＷＰにスケジューリングされてもよい。
【００７５】
＜ユーザ端末の能力情報＞
第１の態様において、ユーザ端末は、ＰＤＳＣＨの繰り返し送信用に設定可能なされる一以上の周波数帯域（例えば、一以上のＣＣ／ＢＷＰのセット）及び期間の少なくとも一つを示す情報をＴＲＰに送信してもよい。当該一以上の周波数帯域及び期間の少なくとも一つを示す情報は、ユーザ端末の能力（capability）情報の一部として、ＴＲＰに報告されてもよい。
【００７６】
以上のように、第１の態様では、ＰＤＳＣＨの繰り返し送信がフレキシブルに制御されるので、当該繰り返し送信によるゲインを効率的に得ることができる。
【００７７】
（第２の態様）
第２の態様では、ＰＤＳＣＨの繰り返し送信により伝送される下りデータのソフトコンバイニングについて説明する。
【００７８】
ここで、ソフトコンバイニングとは、同一の情報ビット列から生成される複数のデータに同じＨＰＮを割り当てて送信し、受信者は、同一のＨＰＮの複数のデータを合成することである。ユーザ端末は、復号に失敗した受信データを一時的に保存するバッファ（ソフトバッファ）を有してもよい。ソフトバッファでは、ＨＰＮ毎に受信データ（例えば、ＴＢ、コードブロック又は一以上のコードブロックを含むコードブロックグループ（ＣＢＧ））が保存されてもよい。
【００７９】
ユーザ端末は、繰り返し送信による同一のＨＰＮの受信データ（又は再送データ）をソフトコンバイニングしてもよい。また、ユーザ端末は、ソフトバッファに格納されたデータと、同一のＨＰＮの受信データとをソフトコンバイニングしてもよい。
【００８０】
第２の態様において、ユーザ端末は、ＰＤＳＣＨの繰り返し送信による複数のデータをＬ１（物理レイヤ又は下位レイヤ等ともいう）でソフトコンバイニングするか否かに関する情報を受信してもよい。当該情報は、例えば、上位レイヤシグナリングにより、ＴＲＰからユーザ端末に設定（configure）されてもよい。
【００８１】
Ｌ１におけるソフトコンバイニングがユーザ端末に設定される場合、ユーザ端末は、どのＰＤＳＣＨが繰り返し送信の一部であるか（すなわち、どのＰＤＳＣＨがソフトコンバイニングされるべきか）を示す情報を受信してもよい。例えば、当該情報は、ＤＣＩ内に含まれていてもよい。
【００８２】
ユーザ端末は、繰り返し毎に異なるＤＣＩによりスケジューリングされるＰＤＳＣＨのソフトコンバイニングを、当該ＤＣＩに基づいて制御してもよい。具体的には、ユーザ端末は、ＤＣＩ内の所定フィールドによって示されるＨＰＮ又はカウンタＤＡＩ（counter  Downlink  Assignment  Index）に基づいて、繰り返し送信されるＰＤＳＣＨのソフトコンバイニングを制御してもよい。
【００８３】
＜ＨＰＮに基づく場合＞
ユーザ端末は、繰り返し毎に異なるＤＣＩによりスケジューリングされるＰＤＳＣＨのソフトコンバイニングを、当該ＤＣＩ内の所定フィールド（例えば、ＨＰＮフィールド）によって示されるＨＰＮに基づいて制御してもよい。
【００８４】
具体的には、ユーザ端末は、同一期間（例えば、同一のスロット）内に異なるＤＣＩによりそれぞれスケジューリングされる複数のＰＤＳＣＨのＨＰＮ（の値）が同一であれば（すなわち、当該異なるＤＣＩの所定フィールドによって示されるＨＰＮが同一であれば）、当該複数のＰＤＳＣＨをソフトコンバイニングしてもよい。一方、ユーザ端末は、当該ＨＰＮ（の値）が異なれば、当該複数のＰＤＳＣＨをソフトコンバイニングしなくともよい。
【００８５】
なお、ソフトコンバイニングは、一以上の周波数帯域（例えば、一以上のＣＣ又は一以上のＢＷＰ）に跨って繰り返されるＰＤＳＣＨに適用されてもよい。また、ソフトコンバイニングは、ユーザ端末に設定される繰り返し用の同一期間内で適用されてもよい。
【００８６】
ユーザ端末は、ＰＤＳＣＨの繰り返し送信用のＨＰＮを示す情報を受信してもよい。例えば、当該情報は、上位レイヤシグナリングにより、ＴＲＰからユーザ端末に設定されてもよい。
【００８７】
図７Ａ及び７Ｂは、第２の態様に係るＨＰＮに基づくソフトコンバイニングの一例を示す図である。図７Ａ及び７Ｂでは、ＰＤＳＣＨの繰り返し用のＨＰＮとして、ＨＰＮ＃１がユーザ端末に設定されているものとする。また、図７Ａ及び７Ｂでは、ＰＤＳＣＨの繰り返し送信用に、ＣＣ／ＢＷＰ＃０、＃１を含むＣＣ／ＢＷＰセットがユーザ端末に設定されるものとする。
【００８８】
例えば、図７Ａでは、同一スロット内のＣＣ／ＢＷＰ＃０及び＃１に、それぞれ繰り返しインデックスｋ＝０、１のＰＤＳＣＨがスケジューリングされる。図７Ａでは、ユーザ端末は、繰り返しインデックスｋ＝０、１のＰＤＳＣＨをそれぞれスケジューリングするＤＣＩの所定フィールドが、同じＨＰＮ＃１を示す。このため、ユーザ端末は、繰り返しインデックスｋ＝０、１のＰＤＳＣＨにより伝送されるデータ（例えば、ＴＢ、ＣＢ又はＣＢＧ）をソフトコンバイニングする。
【００８９】
また、ユーザ端末は、異なる繰り返しインデックスｋのＰＤＳＣＨをスケジューリングする複数のＤＣＩによってそれぞれ示される新規データ識別子（ＮＤＩ：New  Data  Indicator）は、固定である（consistent）と想定してもよい。すなわち、同一のデータ（例えば、ＴＢ、ＣＢ又はＣＢＧ）をスケジューリングする全てのＤＣＩによって示されるＮＤＩは、共通にトグルされてもよいし、共にトグルされなくともよい。
【００９０】
或いは、ユーザ端末は、同一のデータ（例えば、ＴＢ、ＣＢ又はＣＢＧ）をスケジューリングする全てのＤＣＩによって示されるＮＤＩが、一部トグルされ、別の一部はトグルされない、ということが起こらないと想定してもよい。無線基地局は、同一のデータ（例えば、ＴＢ、ＣＢ又はＣＢＧ）をスケジューリングする全てのＤＣＩによって示されるＮＤＩの一部をトグルし、別の一部をトグルしない、という制御を行わないようにする。
【００９１】
例えば、図７Ｂでは、スロット＃３において繰り返しインデックスｋ＝０、１の初回送信が行われ、スロット＃７において繰り返しインデックスｋ＝０、１の再送が行われる。このため、スロット＃３において繰り返しインデックスｋ＝０、１のＰＤＳＣＨをそれぞれスケジューリングする２ＤＣＩ内のＮＤＩは共通にトグルされる。一方、スロット＃７において繰り返しインデックスｋ＝０、１のＰＤＳＣＨをそれぞれスケジューリングする２ＤＣＩ内のＮＤＩは共にトグルされない。
【００９２】
なお、図７Ｂにおいて、ユーザ端末は、スロット＃３の繰り返しインデックスｋ＝０、１のＰＤＳＣＨにより伝送されるデータをソフトコンバイニングにして復号に失敗する場合、当該合成結果をソフトバッファに格納してもよい。また、ユーザ端末は、スロット＃７で再送された繰り返しインデックスｋ＝０、１のＰＤＳＣＨにより伝送されるデータと、ソフトバッファに格納された合成結果と、を更にソフトコンバイニングしてもよい。
【００９３】
このように、ユーザ端末は、繰り返し係数Ｋの異なる繰り返しインデックスのデータをソフトコンバイニングしてもよい。また、ユーザ端末は、初回の繰り返し送信及び再送の繰り返し送信のデータをソフトコンバイニングしてもよい。
【００９４】
＜カウンタＤＡＩに基づく場合＞
ユーザ端末は、繰り返し毎に異なるＤＣＩによりスケジューリングされるＰＤＳＣＨのソフトコンバイニングを、当該ＤＣＩ内の所定フィールド（例えば、カウンタＤＡＩ）によって示されるカウンタＤＡＩに基づいて制御してもよい。
【００９５】
具体的には、ユーザ端末は、連続する周波数帯域（例えば、ＣＣ／ＢＷＰ）及び連続する期間（例えば、スロット）の少なくとも一つにおいて異なるＤＣＩによりそれぞれスケジューリングされる複数のＰＤＳＣＨのカウンタＤＡＩ（の値）が同一であれば（すなわち、当該異なるＤＣＩの所定フィールドによって示されるカウンタＤＡＩが同一であれば）、当該複数のＰＤＳＣＨをソフトコンバイニングしてもよい。一方、ユーザ端末は、当該カウンタＤＡＩ（の値）が異なれば、当該複数のＰＤＳＣＨをソフトコンバイニングしなくともよい。
【００９６】
ここで、カウンタＤＡＩとは、スケジューリングされたデータの累積値を示す。カウンタＤＡＩは、一般に、所定期間内の異なるＣＣにスケジューリングされる複数のＰＤＳＣＨに対して、ＣＣ毎にカウントされる異なる値が設定される。カウンタＤＡＩの値が異なる複数のＰＤＳＣＨに対しては、それぞれ、ＨＡＲＱ−ＡＣＫがフィードバックされる。
【００９７】
一方、複数の周波数帯域（例えば、ＣＣ／ＢＷＰ）及び複数の期間（例えば、スロット）の少なくとも一つに渡り、ＰＤＳＣＨの繰り返し送信が行われる場合、周波数帯域及び期間の少なくとも一つが異なる複数の繰り返しそれぞれのＨＡＲＱ−ＡＣＫをフィードバックするのではなく、当該複数の繰り返しのソフトコンバイニング（合成）結果に応じて単一のＨＡＲＡ−ＡＣＫをフィードバックすることが望ましい。
【００９８】
そこで、周波数帯域及び期間の少なくとも一つが異なる複数の繰り返しをそれぞれスケジューリングする複数のＤＣＩ内のカウンタＤＡＩの値により、当該複数の繰り返しに対応するＰＤＳＣＨをソフトコンバイニングすべきか否かを示してもよい。すなわち、当該カウンタＤＡＩが同一の値であれば、ソフトコンバイニングを適用することを示し、当該カウンタＤＡＩが異なる値であれば、ソフトコンバイニングを適用しないことを示してもよい。
【００９９】
図８Ａ及び８Ｂは、第２の態様に係るカウンタＤＡＩに基づくソフトコンバイニングの一例を示す図である。図８Ａでは、ユーザ端末＃１、＃２に対する繰り返し係数Ｋ＝２のＰＤＳＣＨが一例として示される。
【０１００】
例えば、図８Ａでは、ユーザ端末＃１に対する繰り返しインデックスｋ＝０、１のＰＤＳＣＨをスケジューリングする２ＤＣＩによって、同一のカウンタＤＡＩ（Ｃ−ＤＡＩ）が示される。同様に、ユーザ端末＃２に対する繰り返しインデックスｋ＝０、１のＰＤＳＣＨをスケジューリングする２ＤＣＩによって、同一のカウンタＤＡＩが示される。図８Ｂでは、図８Ａに示される各ＤＣＩ内の所定フィールドによって示されるカウンタＤＡＩの値が例示される。
【０１０１】
例えば、図８Ａのスロット＃３において、連続するＣＣ／ＢＷＰ＃０及び＃１に繰り返しインデックスｋ＝０、１のＰＤＳＣＨをそれぞれスケジューリングする２つのＤＣＩによって同一のカウンタＤＡＩ「０」（図８Ｂ参照）が示される。このため、ユーザ端末＃１は、当該連続するＣＣ／ＢＷＰ＃０及び＃１にスケジューリングされる繰り返しインデックスｋ＝０、１のＰＤＳＣＨをソフトコンバイニングしてもよい。
【０１０２】
また、図８Ａの連続するスロット＃３及び＃４において、不連続のＣＣ／ＢＷＰ＃３及び＃１に繰り返しインデックスｋ＝０、１のＰＤＳＣＨをそれぞれスケジューリングする２つのＤＣＩによって同一のカウンタＤＡＩ「１」（図８Ｂ参照）が示される。このため、ユーザ端末＃２は、当該連続するスロット＃３及び＃４にスケジューリングされる繰り返しインデックスｋ＝０、１のＰＤＳＣＨをソフトコンバイニングしてもよい。
【０１０３】
なお、図８Ａでは、連続するインデックスを有する周波数帯域（例えば、ＣＣ／ＢＷＰ）又は連続するインデックスを有する期間（例えば、スロット）にスケジューリングされる複数のＰＤＳＣＨがカウンタＤＡＩに基づいてソフトコンバイニングされる例を説明したが、これに限られない。連続するインデックスを有する周波数帯域及び連続するインデックスを有する期間（例えば、スロット＃３のＣＣ／ＢＷＰ＃０及びスロット＃４のＣＣ／ＢＷＰ＃１）にスケジューリングされる複数のＰＤＳＣＨがカウンタＤＡＩに基づいてソフトコンバイニングされてもよい。
【０１０４】
また、図８Ａにおいて、同一のカウンタＤＡＩを示す複数のＤＣＩ内の所定フィールド（例えば、ＨＰＮフィールド）は、同一のＨＰＮを示してもよい。この場合、ユーザ端末は、当該複数のＤＣＩによって示されるカウンタＤＡＩ又はＨＰＮのいずれに基づいて、当該複数のＤＣＩによってスケジューリングされる異なる繰り返しインデックスｋのＰＤＳＣＨのソフトコンバイニングを制御してもよい。
【０１０５】
或いは、図８Ａにおいて、同一のカウンタＤＡＩを示す複数のＤＣＩ内の所定フィールド（例えば、ＨＰＮフィールド）が示すＨＰＮは、必ずしも同一でなくともよい。例えば、図８Ａにおいてユーザ端末＃１に対する繰り返しインデックスｋ＝０、１のＰＤＳＣＨには、それぞれ異なるＨＰＮが割り当てられてもよい。この場合、ユーザ端末は、当該複数のＤＣＩによって示されるカウンタＤＡＩに基づいて、当該複数のＤＣＩによってスケジューリングされる異なる繰り返しインデックスｋのＰＤＳＣＨのソフトコンバイニングを制御すればよい。
【０１０６】
＜ＤＣＩ内の新たなフィールド値に基づく場合＞
ユーザ端末は、繰り返し毎に異なるＤＣＩによりスケジューリングされるＰＤＳＣＨのソフトコンバイニングを、当該ＤＣＩ内の所定フィールドの値に基づいて制御してもよい。
【０１０７】
当該ＤＣＩ内の所定フィールド（例えば、１ビット）の値は、例えば、ソフトコンバイニングが行われるか否かを示してもよい。また、当該ＤＣＩ内の所定フィールドの値は、ソフトコンバイニングが行われるか否かに加えて、残りの繰り返し又は現在の繰り返しがｎ番目であるか（例えば、繰り返しインデックスｋ）を示してもよい。
【０１０８】
＜符号化率に基づく場合＞
ユーザ端末は、繰り返し毎に異なるＤＣＩによりスケジューリングされるＰＤＳＣＨのソフトコンバイニングを、当該ＰＤＳＣＨの符号化率に基づいて制御してもよい。ユーザ端末は、当該符号化率を、当該ＤＣＩ内の変調及び符号化方式（ＭＣＳ：Modulation  and  Coding  Sheme）インデックスに基づいて決定してもよい。
【０１０９】
ユーザ端末は、決定された符号化率が所定の閾値より低い（所定の閾値以下である）場合、繰り返し毎に異なるＤＣＩによりそれぞれスケジューリングされる複数のＰＤＳＣＨをソフトコンバイニングしなくともよい。
【０１１０】
一方、ユーザ端末は、決定された符号化率が所定の閾値以上である（所定の閾値より高い）場合、繰り返し毎に異なるＤＣＩによりそれぞれスケジューリングされる複数のＰＤＳＣＨをソフトコンバイニングしてもよい。この場合、ユーザ端末は、当該ＤＣＩに基づいて（例えば、上述のＨＰＮ、カウンタＤＡＩ及び新たなフィールド値の少なくとも一つに基づいて）、当該複数のＰＤＳＣＨのソフトコンバイニングを制御してもよい。
【０１１１】
上記のようにすることで、ソフトコンバイニングの有無を指示するために特定のビットフィールドを利用する必要がなくなるため、柔軟な制御が可能となる。符号化率が十分低い場合、ソフトコンバイニングの効果は小さくなり、高い場合ソフトコンバイニングの効果が大きくなる。
【０１１２】
或いは、ユーザ端末は、決定された符号化率が所定の閾値より低い（所定の閾値以下である）場合、繰り返し毎に異なるＤＣＩによりそれぞれスケジューリングされる複数のＰＤＳＣＨをソフトコンバイニングしてもよい。この場合、ユーザ端末は、当該ＤＣＩに基づいて（例えば、上述のＨＰＮ、カウンタＤＡＩ及び新たなフィールド値の少なくとも一つに基づいて）、当該複数のＰＤＳＣＨのソフトコンバイニングを制御してもよい。
【０１１３】
一方、ユーザ端末は、決定された符号化率が所定の閾値以上である（所定の閾値より高い）場合、繰り返し毎に異なるＤＣＩによりそれぞれスケジューリングされる複数のＰＤＳＣＨをソフトコンバイニングなくてもよい。
【０１１４】
上記のようにすることで、ソフトコンバイニングの有無を指示するために特定のビットフィールドを利用する必要がなくなるため、柔軟な制御が可能となる。符号化率が十分低い場合、再送制御による品質改善が重要であるから、ソフトコンバイニングの必要性が大きくなり、低い場合ソフトコンバイニングの必要性が小さくなる。
【０１１５】
第２の態様によれば、繰り返し毎に異なるＤＣＩによりスケジューリングされるＰＤＳＣＨのソフトコンバイニングを、当該ＤＣＩに基づいて適切に制御できる。
【０１１６】
（その他の態様）
第１及び第２の態様では、各繰り返し（各繰り返しインデックスｋ）のＰＤＳＣＨは、当該ＰＤＳＣＨがスケジューリングされる周波数帯域（例えば、ＣＣ／ＢＷＰ）と同一の周波数帯域内のＣＯＲＥＳＥＴ（又はＳＳセット）に配置されるものとして説明したが、これに限られない。
【０１１７】
各繰り返しのＰＤＳＣＨは、当該ＰＤＳＣＨがスケジューリングされる周波数帯域（例えば、ＣＣ／ＢＷＰ）と同一の周波数帯域内のＣＯＲＥＳＥＴ（又はＳＳセット）に配置されてもよい。すなわち、各繰り返しＰＤＳＣＨは、クロスキャリア（クロスＣＣ）又はクロスＢＷＰ（クロスＣＣ／ＢＷＰ）でスケジューリングされてもよい。
【０１１８】
図９Ａ及び９Ｂは、その他の態様に係るクロスＣＣ／ＢＷＰのスケジューリングの一例を示す図である。図９Ａでは、繰り返しインデックスｋ＝１のＰＤＳＣＨがクロスＣＣ／ＢＷＰスケジューリングされる点で図７Ａと異なるが、その他は同様である。このように、繰り返し毎に異なるＤＣＩによりスケジューリングされるＰＤＳＣＨのソフトコンバイニングを、当該ＤＣＩによって示されるＨＰＮに基づいて制御する場合、当該ＰＤＳＣＨはクロスＣＣ／ＢＷＰスケジューリングされてもよい。
【０１１９】
また、図９Ｂは、ユーザ端末＃１に対する繰り返しインデックス＝１のＰＤＳＣＨと、ユーザ端末＃２に対する繰り返しインデックス＝０のＰＤＳＣＨとがそれぞれクロスＣＣ／ＢＷＰスケジューリングされる点で図８Ａと異なるが、その他は同様である。このように、繰り返し毎に異なるＤＣＩによりスケジューリングされるＰＤＳＣＨのソフトコンバイニングを、当該ＤＣＩによって示されるカウンタＤＡＩに基づいて制御する場合、当該ＰＤＳＣＨはクロスＣＣ／ＢＷＰスケジューリングされてもよい。
【０１２０】
同様に、ＤＣＩ内の新たなフィールドの値又はＭＣＳインデックスによって決定される符号化率に基づいてソフトコンバイニングを制御する場合には、クロスＣＣ／ＢＷＰスケジューリングが適用されてもよい。
【０１２１】
また、第１及び第２の態様の少なくとも一つは、ＰＤＳＣＨのセミパーシステントスケジューリング（ＳＰＳ）に適用されてもよい。ＳＰＳの場合、ＰＤＳＣＨの繰り返し送信は、単一の構成（configuration）内で行われてもよいし、又は、複数の構成に渡って行われてもよい。上記第１及び第２の態様の少なくとも一つは、どの送信がＳＰＳに適用される繰り返しの一部であるかを識別するのに用いられてもよい。
【０１２２】
また、第１及び第２の態様の少なくとも一つは、上りグラント（例えば、ＤＣＩフォーマット０＿０又は０＿１）に基づくＰＵＳＣＨ送信又はＰＵＳＣＨの設定グラント（configured  grant）送信に適用されてもよい。ＳＰＳの場合、ＰＤＳＣＨの繰り返し送信は、単一の構成（configuration）内で行われてもよいし、又は、複数の構成に渡って行われてもよい。上記第１及び第２の態様の少なくとも一つは、どの送信ＧＡＳＰＳに適用される繰り返しの一部であるかを識別するのに用いられてもよい。
【０１２３】
（無線通信システム）
以下、本実施の形態に係る無線通信システムの構成について説明する。この無線通信システムでは、本開示の上記各実施形態に係る無線通信方法のいずれか又はこれらの組み合わせを用いて通信が行われる。
【０１２４】
図１０は、本実施の形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。
【０１２５】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＮＲ（New  Radio）、ＦＲＡ（Future  Radio  Access）、Ｎｅｗ−ＲＡＴ（Radio  Access  Technology）などと呼ばれてもよいし、これらを実現するシステムと呼ばれてもよい。
【０１２６】
無線通信システム１は、比較的カバレッジの広いマクロセルＣ１を形成する無線基地局１１と、マクロセルＣ１内に配置され、マクロセルＣ１よりも狭いスモールセルＣ２を形成する無線基地局１２（１２ａ−１２ｃ）と、を備えている。また、マクロセルＣ１及び各スモールセルＣ２には、ユーザ端末２０が配置されている。各セル及びユーザ端末２０の配置、数などは、図に示す態様に限定されない。
【０１２７】
ユーザ端末２０は、無線基地局１１及び無線基地局１２の双方に接続することができる。ユーザ端末２０は、マクロセルＣ１及びスモールセルＣ２を、ＣＡ又はＤＣを用いて同時に使用することが想定される。また、ユーザ端末２０は、複数のセル（ＣＣ）を用いてＣＡ又はＤＣを適用してもよい。
【０１２８】
ユーザ端末２０と無線基地局１１との間は、相対的に低い周波数帯域（例えば、２ＧＨｚ）で帯域幅が狭いキャリア（既存キャリア、legacy  carrierなどとも呼ばれる）を用いて通信を行うことができる。一方、ユーザ端末２０と無線基地局１２との間は、相対的に高い周波数帯域（例えば、３．５ＧＨｚ、５ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【０１２９】
また、ユーザ端末２０は、各セルで、時分割複信（ＴＤＤ：Time  Division  Duplex）及び／又は周波数分割複信（ＦＤＤ：Frequency  Division  Duplex）を用いて通信を行うことができる。また、各セル（キャリア）では、単一のニューメロロジーが適用されてもよいし、複数の異なるニューメロロジーが適用されてもよい。
【０１３０】
ニューメロロジーとは、ある信号及び／又はチャネルの送信及び／又は受信に適用される通信パラメータであってもよく、例えば、サブキャリア間隔、帯域幅、シンボル長、サイクリックプレフィックス長、サブフレーム長、ＴＴＩ長、ＴＴＩあたりのシンボル数、無線フレーム構成、送受信機が周波数領域で行う特定のフィルタリング処理、送受信機が時間領域で行う特定のウィンドウイング処理などの少なくとも１つを示してもよい。例えば、ある物理チャネルについて、構成するＯＦＤＭシンボルのサブキャリア間隔が異なる場合及び／又はＯＦＤＭシンボル数が異なる場合には、ニューメロロジーが異なると称されてもよい。
【０１３１】
無線基地局１１と無線基地局１２との間（又は、２つの無線基地局１２間）は、有線（例えば、ＣＰＲＩ（Common  Public  Radio  Interface）に準拠した光ファイバ、Ｘ２インターフェースなど）又は無線によって接続されてもよい。
【０１３２】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。また、各無線基地局１２は、無線基地局１１を介して上位局装置３０に接続されてもよい。
【０１３３】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。
【０１３４】
各ユーザ端末２０は、ＬＴＥ、ＬＴＥ−Ａなどの各種通信方式に対応した端末であり、移動通信端末（移動局）だけでなく固定通信端末（固定局）を含んでもよい。
【０１３５】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）及び／又はＯＦＤＭＡが適用される。
【０１３６】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末ごとに１つ又は連続したリソースブロックによって構成される帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【０１３７】
無線通信システム１では、下りリンクのチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下りＬ１／Ｌ２制御チャネルなどが用いられる。ＰＤＳＣＨによって、ユーザデータ、上位レイヤ制御情報、ＳＩＢ（System  Information  Block）などが伝送される。また、ＰＢＣＨによって、ＭＩＢ（Master  Information  Block）が伝送される。
【０１３８】
下りＬ１／Ｌ２制御チャネルは、ＰＤＣＣＨ（Physical  Downlink  Control  Channel）、ＥＰＤＣＣＨ（Enhanced  Physical  Downlink  Control  Channel）、ＰＣＦＩＣＨ（Physical  Control  Format  Indicator  Channel）、ＰＨＩＣＨ（Physical  Hybrid-ARQ  Indicator  Channel）などを含む。ＰＤＣＣＨによって、ＰＤＳＣＨ及び／又はＰＵＳＣＨのスケジューリング情報を含む下り制御情報（ＤＣＩ：Downlink  Control  Information）などが伝送される。
【０１３９】
なお、下りデータ受信をスケジューリングするＤＣＩは、ＤＬアサインメントと呼ばれてもよいし、ＵＬデータ送信をスケジューリングするＤＣＩは、ＵＬグラントと呼ばれてもよい。
【０１４０】
ＰＣＦＩＣＨによって、ＰＤＣＣＨに用いるＯＦＤＭシンボル数が伝送される。ＰＨＩＣＨによって、ＰＵＳＣＨに対するＨＡＲＱ（Hybrid  Automatic  Repeat  reQuest）の送達確認情報（例えば、再送制御情報、ＨＡＲＱ−ＡＣＫ、ＡＣＫ／ＮＡＣＫなどともいう）が伝送される。ＥＰＤＣＣＨは、ＰＤＳＣＨ（下り共有データチャネル）と周波数分割多重され、ＰＤＣＣＨと同様にＤＣＩなどの伝送に用いられる。
【０１４１】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨによって、ユーザデータ、上位レイヤ制御情報などが伝送される。また、ＰＵＣＣＨによって、下りリンクの無線品質情報（ＣＱＩ：Channel  Quality  Indicator）、送達確認情報、スケジューリングリクエスト（ＳＲ：Scheduling  Request）などが伝送される。ＰＲＡＣＨによって、セルとの接続確立のためのランダムアクセスプリアンブルが伝送される。
【０１４２】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【０１４３】
＜無線基地局＞
図１１は、本実施の形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【０１４４】
下りリンクによって無線基地局１０からユーザ端末２０に送信されるユーザデータは、上位局装置３０から伝送路インターフェース１０６を介してベースバンド信号処理部１０４に入力される。
【０１４５】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化、逆高速フーリエ変換などの送信処理が行われて、送受信部１０３に転送される。
【０１４６】
送受信部１０３は、ベースバンド信号処理部１０４からアンテナごとにプリコーディングして出力されたベースバンド信号を無線周波数帯に変換して送信する。送受信部１０３で周波数変換された無線周波数信号は、アンプ部１０２によって増幅され、送受信アンテナ１０１から送信される。送受信部１０３は、本開示に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１４７】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【０１４８】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの呼処理（設定、解放など）、無線基地局１０の状態管理、無線リソースの管理などを行う。
【０１４９】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の無線基地局１０と信号を送受信（バックホールシグナリング）してもよい。
【０１５０】
なお、送受信部１０３は、アナログビームフォーミングを実施するアナログビームフォーミング部をさらに有してもよい。アナログビームフォーミング部は、本発明に係る技術分野での共通認識に基づいて説明されるアナログビームフォーミング回路（例えば、位相シフタ、位相シフト回路）又はアナログビームフォーミング装置（例えば、位相シフト器）から構成してもよい。また、送受信アンテナ１０１は、例えばアレーアンテナによって構成してもよい。
【０１５１】
図１２は、本実施の形態に係る無線基地局の機能構成の一例を示す図である。なお、本例では、本実施の形態における特徴部分の機能ブロックを主に示しており、無線基地局１０は、無線通信に必要な他の機能ブロックも有すると想定されてもよい。
【０１５２】
ベースバンド信号処理部１０４は、制御部（スケジューラ）３０１と、送信信号生成部３０２と、マッピング部３０３と、受信信号処理部３０４と、測定部３０５と、を少なくとも備えている。なお、これらの構成は、無線基地局１０に含まれていればよく、一部又は全部の構成がベースバンド信号処理部１０４に含まれなくてもよい。
【０１５３】
制御部（スケジューラ）３０１は、無線基地局１０全体の制御を実施する。制御部３０１は、本開示に係る技術分野での共通認識に基づいて説明されるコントローラ、制御回路又は制御装置から構成することができる。
【０１５４】
制御部３０１は、例えば、送信信号生成部３０２における信号の生成、マッピング部３０３における信号の割り当てなどを制御する。また、制御部３０１は、受信信号処理部３０４における信号の受信処理、測定部３０５における信号の測定などを制御する。
【０１５５】
制御部３０１は、システム情報、下りデータ信号（例えば、ＰＤＳＣＨで送信される信号）、下り制御信号（例えば、ＰＤＣＣＨ及び／又はＥＰＤＣＣＨで送信される信号。送達確認情報など）のスケジューリング（例えば、リソース割り当て）を制御する。また、制御部３０１は、上りデータ信号に対する再送制御の要否を判定した結果などに基づいて、下り制御信号、下りデータ信号などの生成を制御する。
【０１５６】
制御部３０１は、同期信号（例えば、ＰＳＳ（Primary  Synchronization  Signal）／ＳＳＳ（Secondary  Synchronization  Signal））、ＳＳＢ、下り参照信号（例えば、ＣＲＳ、ＣＳＩ−ＲＳ、ＤＭＲＳ）などのスケジューリングの制御を行う。
【０１５７】
制御部３０１は、上りデータ信号（例えば、ＰＵＳＣＨで送信される信号）、上り制御信号（例えば、ＰＵＣＣＨ及び／又はＰＵＳＣＨで送信される信号。送達確認情報など）、ランダムアクセスプリアンブル（例えば、ＰＲＡＣＨで送信される信号）、上り参照信号などのスケジューリングを制御する。
【０１５８】
制御部３０１は、ベースバンド信号処理部１０４におけるデジタルＢＦ（例えば、プリコーディング）及び／又は送受信部１０３におけるアナログＢＦ（例えば、位相回転）を用いて、送信ビーム及び／又は受信ビームを形成する制御を行ってもよい。制御部３０１は、下り伝搬路情報、上り伝搬路情報などに基づいて、ビームを形成する制御を行ってもよい。これらの伝搬路情報は、受信信号処理部３０４及び／又は測定部３０５から取得されてもよい。
【０１５９】
送信信号生成部３０２は、制御部３０１からの指示に基づいて、下り信号（下り制御信号、下りデータ信号、下り参照信号など）を生成して、マッピング部３０３に出力する。送信信号生成部３０２は、本開示に係る技術分野での共通認識に基づいて説明される信号生成器、信号生成回路又は信号生成装置から構成することができる。
【０１６０】
送信信号生成部３０２は、例えば、制御部３０１からの指示に基づいて、下りデータの割り当て情報を通知するＤＬアサインメント及び／又は上りデータの割り当て情報を通知するＵＬグラントを生成する。ＤＬアサインメント及びＵＬグラントは、いずれもＤＣＩであり、ＤＣＩフォーマットに従う。また、下りデータ信号には、各ユーザ端末２０からのチャネル状態情報（ＣＳＩ：Channel  State  Information）などに基づいて決定された符号化率、変調方式などに従って符号化処理、変調処理が行われる。
【０１６１】
マッピング部３０３は、制御部３０１からの指示に基づいて、送信信号生成部３０２で生成された下り信号を、所定の無線リソースにマッピングして、送受信部１０３に出力する。マッピング部３０３は、本開示に係る技術分野での共通認識に基づいて説明されるマッパー、マッピング回路又はマッピング装置から構成することができる。
【０１６２】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本開示に係る技術分野での共通認識に基づいて説明される信号処理器、信号処理回路又は信号処理装置から構成することができる。
【０１６３】
受信信号処理部３０４は、受信処理によって復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号及び／又は受信処理後の信号を、測定部３０５に出力する。
【０１６４】
測定部３０５は、受信した信号に関する測定を実施する。測定部３０５は、本開示に係る技術分野での共通認識に基づいて説明される測定器、測定回路又は測定装置から構成することができる。
【０１６５】
例えば、測定部３０５は、受信した信号に基づいて、ＲＲＭ（Radio  Resource  Management）測定、ＣＳＩ（Channel  State  Information）測定などを行ってもよい。測定部３０５は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部３０１に出力されてもよい。
【０１６６】
なお、送受信部１０３は、下り制御情報（ＤＣＩ）（ＤＬアサインメント又はＵＬグラントなど）を送信してもよい。
【０１６７】
また、送受信部１０３は、繰り返し送信される下り共有チャネルを送信してもよい。また、送受信部１０３は、当該下り共有チャネルの全ての繰り返しのスケジューリングに用いられるＤＣＩを送信してもよい。また、送受信部１０３は、当該下り共有チャネルの所定数毎の繰り返しのスケジューリングに用いられるＤＣＩを送信してもよい。
【０１６８】
また、送受信部１０３は、繰り返し送信用の周波数帯域（例えば、ＣＣ／ＢＷＰ）及び期間の少なくとも一つに関する情報を送信してもよい（第１の態様）。
【０１６９】
また、制御部３０１は、下り共有チャネルの繰り返し送信を制御してもよい。具体的には、制御部３０１は、下り共有チャネルの所定数毎の繰り返しのスケジューリングに用いられるＤＣＩの生成（例えば、ＨＰＮ、カウンタＤＡＩ、ＮＤＩ等の指定）を制御してもよい。
【０１７０】
＜ユーザ端末＞
図１３は、本実施の形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０１７１】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本開示に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０１７２】
ベースバンド信号処理部２０４は、入力されたベースバンド信号に対して、ＦＦＴ処理、誤り訂正復号、再送制御の受信処理などを行う。下りリンクのユーザデータは、アプリケーション部２０５に転送される。アプリケーション部２０５は、物理レイヤ及びＭＡＣレイヤより上位のレイヤに関する処理などを行う。また、下りリンクのデータのうち、ブロードキャスト情報もアプリケーション部２０５に転送されてもよい。
【０１７３】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）、チャネル符号化、プリコーディング、離散フーリエ変換（ＤＦＴ：Discrete  Fourier  Transform）処理、ＩＦＦＴ処理などが行われて送受信部２０３に転送される。
【０１７４】
送受信部２０３は、ベースバンド信号処理部２０４から出力されたベースバンド信号を無線周波数帯に変換して送信する。送受信部２０３で周波数変換された無線周波数信号は、アンプ部２０２によって増幅され、送受信アンテナ２０１から送信される。
【０１７５】
なお、送受信部２０３は、アナログビームフォーミングを実施するアナログビームフォーミング部をさらに有してもよい。アナログビームフォーミング部は、本発明に係る技術分野での共通認識に基づいて説明されるアナログビームフォーミング回路（例えば、位相シフタ、位相シフト回路）又はアナログビームフォーミング装置（例えば、位相シフト器）から構成してもよい。また、送受信アンテナ２０１は、例えばアレーアンテナによって構成してもよい。
【０１７６】
図１４は、本実施の形態に係るユーザ端末の機能構成の一例を示す図である。なお、本例においては、本実施の形態における特徴部分の機能ブロックを主に示しており、ユーザ端末２０は、無線通信に必要な他の機能ブロックも有すると想定されてもよい。
【０１７７】
ユーザ端末２０が有するベースバンド信号処理部２０４は、制御部４０１と、送信信号生成部４０２と、マッピング部４０３と、受信信号処理部４０４と、測定部４０５と、を少なくとも備えている。なお、これらの構成は、ユーザ端末２０に含まれていればよく、一部又は全部の構成がベースバンド信号処理部２０４に含まれなくてもよい。
【０１７８】
制御部４０１は、ユーザ端末２０全体の制御を実施する。制御部４０１は、本開示に係る技術分野での共通認識に基づいて説明されるコントローラ、制御回路又は制御装置から構成することができる。
【０１７９】
制御部４０１は、例えば、送信信号生成部４０２における信号の生成、マッピング部４０３における信号の割り当てなどを制御する。また、制御部４０１は、受信信号処理部４０４における信号の受信処理、測定部４０５における信号の測定などを制御する。
【０１８０】
制御部４０１は、無線基地局１０から送信された下り制御信号及び下りデータ信号を、受信信号処理部４０４から取得する。制御部４０１は、下り制御信号及び／又は下りデータ信号に対する再送制御の要否を判定した結果などに基づいて、上り制御信号及び／又は上りデータ信号の生成を制御する。
【０１８１】
制御部４０１は、ベースバンド信号処理部２０４におけるデジタルＢＦ（例えば、プリコーディング）及び／又は送受信部２０３におけるアナログＢＦ（例えば、位相回転）を用いて、送信ビーム及び／又は受信ビームを形成する制御を行ってもよい。制御部４０１は、下り伝搬路情報、上り伝搬路情報などに基づいて、ビームを形成する制御を行ってもよい。これらの伝搬路情報は、受信信号処理部４０４及び／又は測定部４０５から取得されてもよい。
【０１８２】
また、制御部４０１は、無線基地局１０から通知された各種情報を受信信号処理部４０４から取得した場合、当該情報に基づいて制御に用いるパラメータを更新してもよい。
【０１８３】
送信信号生成部４０２は、制御部４０１からの指示に基づいて、上り信号（上り制御信号、上りデータ信号、上り参照信号など）を生成して、マッピング部４０３に出力する。送信信号生成部４０２は、本開示に係る技術分野での共通認識に基づいて説明される信号生成器、信号生成回路又は信号生成装置から構成することができる。
【０１８４】
送信信号生成部４０２は、例えば、制御部４０１からの指示に基づいて、送達確認情報、チャネル状態情報（ＣＳＩ）などに関する上り制御信号を生成する。また、送信信号生成部４０２は、制御部４０１からの指示に基づいて上りデータ信号を生成する。例えば、送信信号生成部４０２は、無線基地局１０から通知される下り制御信号にＵＬグラントが含まれている場合に、制御部４０１から上りデータ信号の生成を指示される。
【０１８５】
マッピング部４０３は、制御部４０１からの指示に基づいて、送信信号生成部４０２で生成された上り信号を無線リソースにマッピングして、送受信部２０３へ出力する。マッピング部４０３は、本開示に係る技術分野での共通認識に基づいて説明されるマッパー、マッピング回路又はマッピング装置から構成することができる。
【０１８６】
受信信号処理部４０４は、送受信部２０３から入力された受信信号に対して、受信処理（例えば、デマッピング、復調、復号など）を行う。ここで、受信信号は、例えば、無線基地局１０から送信される下り信号（下り制御信号、下りデータ信号、下り参照信号など）である。受信信号処理部４０４は、本開示に係る技術分野での共通認識に基づいて説明される信号処理器、信号処理回路又は信号処理装置から構成することができる。また、受信信号処理部４０４は、本開示に係る受信部を構成することができる。
【０１８７】
受信信号処理部４０４は、受信処理によって復号された情報を制御部４０１に出力する。受信信号処理部４０４は、例えば、ブロードキャスト情報、システム情報、ＲＲＣシグナリング、ＤＣＩなどを、制御部４０１に出力する。また、受信信号処理部４０４は、受信信号及び／又は受信処理後の信号を、測定部４０５に出力する。
【０１８８】
測定部４０５は、受信した信号に関する測定を実施する。例えば、測定部４０５は、第１のキャリア及び第２のキャリアの一方又は両方について、同周波測定及び／又は異周波測定を行ってもよい。測定部４０５は、第１のキャリアにサービングセルが含まれる場合に、受信信号処理部４０４から取得した測定指示に基づいて第２のキャリアにおける異周波測定を行ってもよい。測定部４０５は、本開示に係る技術分野での共通認識に基づいて説明される測定器、測定回路又は測定装置から構成することができる。
【０１８９】
例えば、測定部４０５は、受信した信号に基づいて、ＲＲＭ測定、ＣＳＩ測定などを行ってもよい。測定部４０５は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部４０１に出力されてもよい。
【０１９０】
なお、送受信部２０３は、下り制御情報（ＤＣＩ）（ＤＬアサインメント又はＵＬグラントなど）を受信してもよい。
【０１９１】
また、送受信部２０３は、繰り返し送信される下り共有チャネルを受信してもよい。また、送受信部２０３は、当該下り共有チャネルの全ての繰り返しのスケジューリングに用いられるＤＣＩを受信してもよい。また、送受信部２０３は、当該下り共有チャネルの所定数毎の繰り返しのスケジューリングに用いられるＤＣＩを受信してもよい。
【０１９２】
また、送受信部２０３は、繰り返し送信用の一以上の周波数帯域（例えば、ＣＣ／ＢＷＰ）及び一以上の期間の少なくとも一つに関する情報を受信してもよい（第１の態様）。当該周波数帯域は、同一のセルグループ又は同一の上り制御チャネル用グループ内の一以上のＣＣ又は一以上のＢＷＰであってもよい。
【０１９３】
また、制御部４０１は、繰り返し送信される下り共有チャネルの受信処理を制御してもよい。具体的には、制御部４０１は、上記周波数帯域及び期間の少なくとも一つに関する情報に基づいて繰り返し送信用の周波数帯域及び期間の少なくとも一つを設定し、設定された周波数帯域及び前記期間の少なくとも一部にスケジューリングされる前記下り共有チャネルの受信を制御してもよい。
【０１９４】
また、制御部４０１は、繰り返し毎の下り制御情報（ＤＣＩ）に基づいて、前記下り共有チャネルにより伝送されるデータのソフトコンバイニングを制御してもよい（第２の態様）。
【０１９５】
具体的には、制御部４０１は、前記ＤＣＩによって示されるＨＡＲＱプロセス番号に基づいて、前記データのソフトコンバイニングを制御してもよい。また、制御部４０１は、前記ＤＣＩによって示されるカウンタＤＡＩに基づいて、前記データのソフトコンバイニングを制御してもよい。
【０１９６】
また、制御部４０１は、前記ＤＣＩによって示される送信構成指示（ＴＣＩ）の状態に基づいて、前記下り共有チャネルの受信を制御してもよい。
【０１９７】
＜ハードウェア構成＞
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。
【０１９８】
例えば、本開示の一実施形態における無線基地局、ユーザ端末などは、本開示の無線通信方法の処理を行うコンピュータとして機能してもよい。図１５は、一実施形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１９９】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０２００】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、２以上のプロセッサによって実行されてもよい。なお、プロセッサ１００１は、１以上のチップによって実装されてもよい。
【０２０１】
無線基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び書き込みの少なくとも一方を制御したりすることによって実現される。
【０２０２】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４（２０４）、呼処理部１０５などは、プロセッサ１００１によって実現されてもよい。
【０２０３】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。例えば、ユーザ端末２０の制御部４０１は、メモリ１００２に格納され、プロセッサ１００１において動作する制御プログラムによって実現されてもよく、他の機能ブロックについても同様に実現されてもよい。
【０２０４】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０２０５】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０２０６】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４によって実現されてもよい。
【０２０７】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０２０８】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０２０９】
また、無線基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０２１０】
（変形例）
なお、本開示において説明した用語及び本開示の理解に必要な用語については、同一の又は類似する意味を有する用語と置き換えてもよい。例えば、チャネル及びシンボルの少なくとも一方は信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０２１１】
無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジー（numerology）に依存しない固定の時間長（例えば、１ｍｓ）であってもよい。
【０２１２】
ここで、ニューメロロジーは、ある信号又はチャネルの送信及び受信の少なくとも一方に適用される通信パラメータであってもよい。ニューメロロジーは、例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０２１３】
スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。
【０２１４】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（ＰＵＳＣＨ）マッピングタイプＡと呼ばれてもよい。ミニスロットを用いて送信されるＰＤＳＣＨ（又はＰＵＳＣＨ）は、ＰＤＳＣＨ（ＰＵＳＣＨ）マッピングタイプＢと呼ばれてもよい。
【０２１５】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。なお、本開示におけるフレーム、サブフレーム、スロット、ミニスロット、シンボルなどの時間単位は、互いに読み替えられてもよい。
【０２１６】
例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０２１７】
ここで、ＴＴＩは、例えば、無線通信におけるスケジューリングの最小時間単位のことをいう。例えば、ＬＴＥシステムでは、無線基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０２１８】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０２１９】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０２２０】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０２２１】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０２２２】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０２２３】
また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームなどは、それぞれ１つ又は複数のリソースブロックによって構成されてもよい。
【０２２４】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０２２５】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０２２６】
帯域幅部分（ＢＷＰ：Bandwidth  Part）（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０２２７】
ＢＷＰには、ＵＬ用のＢＷＰ（ＵＬ  ＢＷＰ）と、ＤＬ用のＢＷＰ（ＤＬ  ＢＷＰ）とが含まれてもよい。ＵＥに対して、１キャリア内に１つ又は複数のＢＷＰが設定されてもよい。
【０２２８】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０２２９】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０２３０】
また、本開示において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０２３１】
本開示においてパラメータなどに使用する名称は、いかなる点においても限定的な名称ではない。さらに、これらのパラメータを使用する数式などは、本開示において明示的に開示したものと異なってもよい。様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０２３２】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２３３】
また、情報、信号などは、上位レイヤから下位レイヤ及び下位レイヤから上位レイヤの少なくとも一方へ出力され得る。情報、信号などは、複数のネットワークノードを介して入出力されてもよい。
【０２３４】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０２３５】
情報の通知は、本開示において説明した態様／実施形態に限られず、他の方法を用いて行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０２３６】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））を用いて通知されてもよい。
【０２３７】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２３８】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２３９】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２４０】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０２４１】
本開示において使用する「システム」及び「ネットワーク」という用語は、互換的に使用され得る。
【０２４２】
本開示において、「プリコーディング」、「プリコーダ」、「ウェイト（プリコーディングウェイト）」、「送信電力」、「位相回転」、「アンテナポート」、「レイヤ」、「レイヤ数」、「ランク」、「ビーム」、「ビーム幅」、「ビーム角度」、「アンテナ」、「アンテナ素子」、「パネル」などの用語は、互換的に使用され得る。
【０２４３】
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（ＴＰ：Transmission  Point）」、「受信ポイント（ＲＰ：Reception  Point）」、「送受信ポイント（ＴＲＰ：Transmission/Reception  Point）」、「パネル」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０２４４】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０２４５】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０２４６】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２４７】
基地局及び移動局の少なくとも一方は、送信装置、受信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。
【０２４８】
また、本開示における無線基地局は、ユーザ端末で読み替えてもよい。例えば、無線基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の無線基地局１０が有する機能をユーザ端末２０が有する構成としてもよい。また、「上り」、「下り」などの文言は、端末間通信に対応する文言（例えば、「サイド（side）」）で読み替えられてもよい。例えば、上りチャネル、下りチャネルなどは、サイドチャネルで読み替えられてもよい。
【０２４９】
同様に、本開示におけるユーザ端末は、無線基地局で読み替えてもよい。この場合、上述のユーザ端末２０が有する機能を無線基地局１０が有する構成としてもよい。
【０２５０】
本開示において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２５１】
本開示において説明した各態様／実施形態は単独で用いてもよいし、組み合わせて用いてもよいし、実行に伴って切り替えて用いてもよい。また、本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０２５２】
本開示において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（例えば、ＬＴＥ又はＬＴＥ−Ａと、５Ｇとの組み合わせなど）適用されてもよい。
【０２５３】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２５４】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０２５５】
本開示において使用する「判断（決定）（determining）」という用語は、多種多様な動作を包含する場合がある。例えば、「判断（決定）」は、判定（judging）、計算（calculating）、算出（computing）、処理（processing）、導出（deriving）、調査（investigating）、探索（looking  up）（例えば、テーブル、データベース又は別のデータ構造での探索）、確認（ascertaining）などを「判断（決定）」することであるとみなされてもよい。
【０２５６】
また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。
【０２５７】
また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２５８】
また、「判断（決定）」は、「想定する（assuming）」、「期待する（expecting）」、「みなす（considering）」などで読み替えられてもよい。
【０２５９】
本開示に記載の「最大送信電力」は送信電力の最大値を意味してもよいし、公称最大送信電力（the  nominal  UE  maximum  transmit  power）を意味してもよいし、定格最大送信電力（the  rated  UE  maximum  transmit  power）を意味してもよい。
【０２６０】
本開示において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」で読み替えられてもよい。
【０２６１】
本開示において、２つの要素が接続される場合、１つ以上の電線、ケーブル、プリント電気接続などを用いて、並びにいくつかの非限定的かつ非包括的な例として、無線周波数領域、マイクロ波領域、光（可視及び不可視の両方）領域の波長を有する電磁エネルギーなどを用いて、互いに「接続」又は「結合」されると考えることができる。
【０２６２】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０２６３】
本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０２６４】
本開示において、例えば、英語でのa,  an及びtheのように、翻訳によって冠詞が追加された場合、本開示は、これらの冠詞の後に続く名詞が複数形であることを含んでもよい。
【０２６５】
以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【図１】
2020003525.tif 000003
【図２】
2020003525.tif 000004
【図３】
2020003525.tif 000005
【図４】
2020003525.tif 000006
【図５】
2020003525.tif 000007
【図６】
2020003525.tif 000008
【図７】
2020003525.tif 000009
【図８】
2020003525.tif 000010
【図９】
2020003525.tif 000011
【図１０】
2020003525.tif 000012
【図１１】
2020003525.tif 000013
【図１２】
2020003525.tif 000014
【図１３】
2020003525.tif 000015
【図１４】
2020003525.tif 000016
【図１５】
2020003525.tif 000017
【国際調査報告】
2020003525.tif 000018
2020003525.tif 000019
2020003525.tif 000020